(57)【要約】 【課題】  液体供給容器本体が万一転倒した場合であっても、漏電や感電の恐れが全くなく、極めて安全性に優れた液体供給容器を提供するにある。【解決手段】  液体を収容する内容器２と、内容器内の液体を加熱するヒータ３と、内容器内の液体を外部へ注出する注出機構６と、外部電源を入力してヒータ３やその他駆動部分を操作する電気系統の制御機構部７と、内容器２、ヒータ３、注出機構６、制御機構部７等を内蔵した本体１Ａとその蓋体５とを設けた液体供給容器１に於いて、上記本体１Ａの底部に、液体供給容器転倒時、本体１Ａへと入力される外部電源からの電源を遮断する転倒用スイッチ８を設けた構成としている。又、転倒用スイッチ８を本体１Ａの底部ほぼ中央に設けた構成としている。【選択図】   図２
2007215880.tif 000002
【特許請求の範囲】
【請求項１】
液体を収容する内容器（２）と、内容器内の液体を加熱するヒータ（３）と、内容器内の液体を外部へ注出する注出機構（６）と、外部電源を入力してヒータ（３）やその他駆動部分を操作する電気系統の制御機構部（７）と、内容器（２）、ヒータ（３）、注出機構（６）、制御機構部（７）等を内蔵した本体（１Ａ）とその蓋体（５）とを設けた液体供給容器（１）に於いて、上記本体（１Ａ）の底部に、液体供給容器転倒時、本体（１Ａ）へと入力される外部電源からの電源を遮断する転倒用スイッチ（８）を設けたことを特徴とする液体供給容器。
【請求項２】
転倒用スイッチ（８）を本体（１Ａ）の底部ほぼ中央に設けた請求項１記載の液体供給容器。
【発明の詳細な説明】
【技術分野】
【０００１】
本発明は、外部電源を入力して湯沸かし、保温を行う電気湯沸かし器、コーヒー、紅茶等の抽出液を抽出する飲料抽出装置等総称の液体供給容器に関するものである。
【背景技術】
【０００２】
従来、液体供給容器の一例として、外部電源を入力して湯沸かし、保温を行う電気湯沸かし器は、器体１３に囲まれた有底筒状の真空二重容器（内容器）３を設け、真空二重容器（内容器）の底部に真空二重容器（内容器）内の液体を加熱するヒータ４を設け、器体の上端に真空二重容器（内容器）の上端開口を開閉する蓋（蓋体）８を設けた構造の電気貯湯容器が特開２００２−３３０８６９号公報（特許文献１、図１参照）として存在する。
【０００３】
【特許文献１】特開２００２−３３０８６９号（図１）
【０００４】
以下、特許文献１の図１により従来の液体供給容器の一例である電気湯沸かし器について説明する。
この特許文献１の電気貯湯容器は、一重壁の底部にヒータ４を備えた真空二重容器３と、真空二重容器を囲む器体１３と、電気系統を通電制御する制御基板と、この制御基板を収納する回路ボックス２９と、下端を真空二重容器の底部の細口と連通し、上端を止水弁３９を介して吐出口５ｄと連通した吐出路５と吐出ポンプ１４とを備える吐出機構と、器体１３の肩部に開閉自在に配設され、真空二重容器３の上端開口を気密的に閉鎖する蓋８とから構成されている。
【発明の開示】
【発明が解決しようとする課題】
【０００５】
ところが、この種の電気湯沸かし器では、液体供給容器である電気湯沸かし器本体の転倒時、内容器である真空二重容器内の液体が吐出路を経て、吐出口より流出することとなる。
即ち、転倒時、吐出路中の止水弁により或る程度流出は阻止されるが完全に止水されることではなく、わずかに流出して、設置場所を濡らすこととなる。特に、電気湯沸かし器本体と蓋との嵌合が悪いと真空二重容器内の液体が一気に流出することとなる。
【０００６】
更に、電気湯沸かし器本体より電源コードが付いたままの状態で、電気湯沸かし器本体内の制御基板に外部電力を通電した状態になることもある。
それ故に、電源コード接続部分や制御基板の接続部分等が濡れて、漏電や感電の恐れが生じる可能性が高く、非常に危険性が高くなるという問題点があった。
【課題を解決するための手段】
【０００７】
本発明は、液体を収容する内容器２と、内容器内の液体を加熱するヒータ３と、内容器内の液体を外部へ注出する注出機構６と、外部電源を入力してヒータ３やその他駆動部分を操作する電気系統の制御機構部７と、内容器２、ヒータ３、注出機構６、制御機構部７等を内蔵した本体１Ａとその蓋体５とを設けた液体供給容器１に於いて、上記本体１Ａの底部に、液体供給容器転倒時、本体１Ａへと入力される外部電源からの電源を遮断する転倒用スイッチ８を設けた構成としている。又、転倒用スイッチ８を本体１Ａの底部ほぼ中央に設けた構成としている。
【発明の効果】
【０００８】
本発明は、従来の問題点を解決したものであって、液体供給容器本体が万一転倒した場合であっても、漏電や感電の恐れが全くなく、極めて安全性に優れた液体供給容器を提供するにある。
【発明を実施するための最良の形態】
【０００９】
液体供給容器１の一例であり、湯沸かし保温を行う電気湯沸かし器は、液体を収容する内容器２と、内容器内の液体を加熱するヒータ３と、内容器を囲む外装体４と、外装体の上端に開閉自在に装着し、内容器の口元を開閉する蓋体５と、内容器内の液体を外部へ注出する注出機構６と、電気系統をマイクロコンピュータにて制御する制御機構部７と、内容器２、ヒータ３、注出機構６、制御機構部７等を外装体４にて囲んだ本体１Ａと、転倒時、コンセントからの外部電源を遮断して制御機構部７への通電を阻止する転倒用スイッチ８とから構成している。
【００１０】
内容器２は、ステンレス等の金属材料にて有底筒状に形成しており、口元上端に外方に拡がった鍔部を設け、底部を上向きに段状に形成し、底の前方部に細口の貫通パイプ９を一体的に設けている。
【００１１】
内容器内の液体を加熱するヒータ３は、内容器底部外側より当接してヒータカバーと共に固定している。
３９は、サーミスタ等の温度調節器で内容器内の液温を間接的に感知してヒータ３をＯＮ、ＯＦＦしている。
【００１２】
内容器を囲む外装体４は、内容器の胴部を囲む外装ケースと、外装ケースの上端に嵌着する肩部材と、外装ケースの下端を覆う底部材とからなっている。この肩部材及び底部材の一部は、外装ケースと一体的に形成してもよい。
外装ケースの上部にはハンドル１０を装着している。
【００１３】
外装体４は、前面を内側に窪ませた筒状であって、図１に示すように、前面右側に縦方向に大きく切り欠いた透視窓を設けている。
この透視窓の表面に透明なシール材１２を貼り付けている。
【００１４】
外装体４上端に嵌着する肩部材は、中央を上下に開口する開口部を設け、開口部の前面に前方に延びた嘴部１１を設け、開口部の後面に蓋体５を枢支するヒンジ部を設けており、開口部を形成する周壁の下部に内側中央に向けて延びたフランジ部を設けている。
肩部材の嘴部１１は、内部空洞としており、この空洞内に湯沸かし、保温用ランプを備えたスイッチ基板２９、後述の注出機構６の吐出パイプ３７等を収納している。
【００１５】
蓋体５は、図２に示すように、上蓋１３と、下蓋１４と、下蓋の下面を覆い、内容器２の口元を閉鎖するステンレス製の覆板１５と、蓋体を肩部材の嘴部１１後方にロックするロック機構と、内容器内の蒸気を外部へ排出する蒸気通路１６と、蒸気通路内に設けた弁室１７とからなっている。１８は、断熱材である。
【００１６】
蓋体の上蓋１３は、図１及び図２に示すように、前面中央に蓋体を開閉するロック機構のレバーを備えており、後部のヒンジ部前方に蒸気通路１６と連通する蒸気排出口１９を設けている。弁室１７には、転倒時、蒸気通路１６内を流れ出る内容器２内の液体の流出を阻止する止水弁３２を備えている。
【００１７】
注出機構６は、内容器の貫通パイプ９とジョイントパイプを介して連なる電動ポンプ２４を設け、電動ポンプ２４の排出側に下部ジョイントパイプを介して立設した揚水パイプ３１の下端側と連通し、揚水パイプ３１の上端側と上部ジョイントパイプを介して止水弁室と連通し、止水弁室の先端側に嘴部１１内より下端前方に向けて延びた吐出パイプ３７に連通している。
【００１８】
この止水弁室には、転倒時、内容器２内の液体が揚水パイプを通り吐出パイプ３７先端より外部への流出を防ぐようパイプ内を遮断する働きをしている。
内容器内の液量は、図１に示すように、立設した揚水パイプ３１により表示され、揚水パイプ３１の前面のシール材１２を貼り付けた透視窓から目視可能としている。
【００１９】
制御機構部７は、電気系統をマイクロコンピュータにて操作しており、図３に示すように、外部電源をコンセント２０を介して本体１Ａ内のプラグ２１へ導き、このプラグ２１よりプラス、マイナスどちらか一方は後述の転倒用スイッチ８を経て、プラス、マイナスどちらか他方と共に制御機構部７へと導かれる。
【００２０】
この制御機構部７は、ヒータ３のＯＮ、ＯＦＦや、嘴部１１表面に示された吐出用スイッチ、加熱用スイッチや表示ランプ等を備えたスイッチ基板２９や注出機構６の電動ポンプ２４のＯＮ、ＯＦＦ等など様々な電気系統を制御している。
【００２１】
転倒用スイッチ８は、図３に示すように、本体１Ａの底部ほぼ中央で、接地面と接するスイッチ棒８Ａと、スイッチ棒後端にスイッチ本体８Ｂとを設け、スイッチ棒８Ａが接地面に接している場合、スイッチ本体８Ｂ内にスイッチ棒後端が入り込み、外部電源からプラグ２１に入力した電源を制御機構部７へ導き、接地面からスイッチ棒８Ａがはずれると、スイッチ棒先端は、スイッチ本体より大きく突出し、プラグ２１に入力した電源を制御機構部７へ導くことなく遮断している。この転倒用スイッチ８は、本体１Ａの底部ほぼ中央に突出しているので、本体が左右前後どちらに傾いても、即座に対応することができる。
【００２２】
次に、液体供給容器１の一例であり、抽出液を抽出する飲料抽出装置について説明する。
この飲料抽出装置は、図４及び図５に示すように、液体を収容する内容器２と、内容器内の液体を加熱するヒータ３と、内容器内の加熱された液体を電動ポンプ２４を介して本体１Ａ前方上方へ導く注出機構６と、電気系統を制御する制御機構部７と、本体１Ａ底部ほぼ中央で、転倒時、外部電源を遮断して本体１Ａへの通電を阻止する転倒用スイッチ８と、本体１Ａ前方上方に載置し、コーヒー粉、紅茶葉等収納のチャンバー２５と、チャンバー２５の下端で本体１Ａ前方の台座部２６に載置される受器２７と、台座部２６上面にあって、受器２７を暖めるウオーマー２８とから構成されている。５は蓋体である。
【００２３】
内容器２は、ステンレス等の金属材料にて有底筒状に形成しており、底部を上向きに段状に形成し、底の前方部に細口の貫通パイプを一体的に設けている。
内容器内の液体を加熱するヒータ３は、内容器底部外側より当接してヒータカバーと共に固定しており、温度調節器３９にて内容器内の液温を間接的に感知してヒータ３をＯＮ、ＯＦＦしている。
【００２４】
本体１Ａ前方上方に嘴部１１を設け、この嘴部１１内部には、湯沸かし、保温用ランプを備えたスイッチ基板２９、後述の注出機構６の吐出パイプ３７等を収納している。
１８は、断熱材である。
注出機構６は、内容器２の貫通パイプを介して連なる電動ポンプ２４、揚水パイプ３６を介して吐出パイプ３７に連通している。
【００２５】
制御機構部７は、電気系統をマイクロコンピュータにて操作しており、ヒータ３のＯＮ、ＯＦＦや、吐出用スイッチ、加熱用スイッチや表示ランプ等を備えたスイッチ基板２９や注出機構６の電動ポンプ２４のＯＮ、ＯＦＦ等など様々な電気系統を制御している。
【００２６】
この飲料抽出装置では、内容器２内で加熱された液体は、電動ポンプ２４を介して注出機構６によりチャンバー２５上方へ排出される。このチャンバー２５内では暖かい液体とコーヒー粉、紅茶葉等が混ざり合ってチャンバー２５下端よりコーヒー、紅茶等の抽出液となって滴下する。
【００２７】
この滴下した抽出液を受器２７内に貯めて、台座部２６のウオーマー２８にて保温することにより、常時暖かいコーヒー、紅茶等を飲むことができる。
この飲料抽出装置では特にオフィスビル等にて使用されるために、誰もいない夜間地震等が生じる恐れがあっても、この本体１Ａの底部のほぼ中央に転倒用スイッチ８を配置することにより、万一、夜間転倒しても転倒用スイッチ８が働き、十分漏電等に対処することができる。
【００２８】
この液体供給容器の電気湯沸かし器では、注出機構の電動ポンプにて内容器内の液体を吐出パイプへと導いているが、特にこれに限定されるものではなく、べローズポンプによる空気圧を利用して内容器内の液体を吐出パイプへと導いたり、又液体供給容器の飲料抽出装置でも、注出機構の電動ポンプにて内容器内の液体を吐出パイプへと導いているが、内容器内を沸騰させて、沸騰後の水蒸気を注出機構にて吐出パイプへと導いても何ら支障をきたすものではない。
【００２９】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００３０】
【図１】本発明実施例の斜視面図。
【図２】本発明実施例の中央縦断面図。
【図３】本発明実施例の電気系統を示す説明図。
【図４】本発明他の実施例の斜視面図。
【図５】本発明他実施例の中央縦断面図。
【符号の説明】
【００３１】
１…液体供給容器
１Ａ…本体
２…内容器
３…ヒータ
４…外装体
５…蓋体
６…注出機構
７…制御機構部
８…転倒用スイッチ
８Ａ…スイッチ棒
８Ｂ…スイッチ本体
１１…嘴部
１３…上蓋
１４…下蓋
１５…覆板
１６…蒸気通路
１７…弁室
１９…蒸気排出口
２０…コンセント口
２１…プラグ
２４…電動ポンプ
２５…チャンバー
２６…台座部
２７…受器
２８…ウォーマー
２９…スイッチ基板
３１…揚水パイプ
３７…吐出パイプ
３９…温度調節器
【図１】
2007215880.tif 000003
【図２】
2007215880.tif 000004
【図３】
2007215880.tif 000005
【図４】
2007215880.tif 000006
【図５】
2007215880.tif 000007